(57)【要約】【課題】スポットライトにおいて、ランプハウスに収納されたランプの着脱作業を容易にし、かつランプ着脱用開口の蓋体が自重により開放してしまうことを防ぐ。【解決手段】スポットライト１は、ランプ２を収納するランプハウス３と、ランプ着脱用開口４を開閉する蓋体５と、略門型の支持アーム６とを備える。蓋体５は、多数の短冊状部材１２が屈曲自在に連結されたシャッタ状の柔構造とされ、ランプハウス３の上面３ａと側面３ｂに沿って移動自在に構成される。ランプ交換時には、作業者が蓋体５の摘み１３を、支持アーム６の回転軸Ｘに平行な方向（矢印Ａ）へ移動させて蓋体５を開放する。蓋体５は、支持アーム６に干渉することなく開閉され、ランプ着脱用開口４が大きく開放されるのでランプの交換を効率的に行うことができる。また、蓋体５の前端縁部５ａが支持アーム６の回転軸Ｘに平行な方向に移動するので、蓋体５が自重で開放してしまう虞がない。【選択図】図１
2008066072.tif 000002
【特許請求の範囲】
【請求項１】
ランプを収納するランプハウスと、
前記ランプハウスに開けられたランプ着脱用開口を開閉する蓋体と、
前記ランプ着脱用開口を跨いで前記ランプハウスに回転自在に取付けられた略門型の支持アームと、を備えるスポットライトにおいて、
前記蓋体は、伸縮又は屈曲自在な柔構造とされ、前記ランプ着脱用開口を開閉するときに該開口縁に臨む蓋体の前端縁部が前記支持アームの回転軸に略平行な方向に移動することを特徴とするスポットライト。
【発明の詳細な説明】
【技術分野】
【０００１】
本発明は、舞台やスタジオ等の照明装置として用いられるスポットライトに関する。
【背景技術】
【０００２】
従来のこの種のスポットライトは、図８に示されるように、ランプ１０１が収納されたランプハウス１０２に略門型の支持アーム１０３が回転自在に取付けられ、該支持アーム１０３及び連結金具１０４を介してスタジオ等の天井付近に水平に設けられたバトン１０５に対して吊下げ支持される。ランプハウス１０２の支持アーム１０３に対する回転角度を変更することによって、ランプ１０１から照射される光Ｌの方向が変えられる。
【０００３】
また、ランプハウス１０２内に収納されたランプ１０１を交換するときには、作業者が、ランプハウス１０２に開けられた開口１０６（以下、ランプ着脱用開口という）を通じて古いランプの取出しと新しいランプの取付けを行う。
【０００４】
このランプ交換作業のときに、ランプハウス１０２がバトン１０５に吊下げられたままの状態では、ランプ着脱用開口１０６の蓋体１０７が支持アーム１０３に干渉し蓋体１０７の充分な開放が行えないことから、ランプ交換作業は、ランプハウス１０２をバトン１０５から一旦取外し、支持アーム１０３の回転角度を変えて（例えば、支持アーム１０３をランプハウス１０２の下方へ回転させて）行わなければならない面倒な作業になっていた。
【０００５】
上記のような事情から、ランプ交換作業を効率的に行うことができる改良されたスポットライトとして、ランプ着脱用開口の蓋体が略中央で折れる折り戸に構成されたものが開発されている（例えば、特許文献１参照）。
【０００６】
上記の改良されたスポットライトでは、折り戸の回動範囲が小さいことから支持アームに干渉することなく蓋体を開放することができるので、作業者は、ランプハウスがバトンに吊下げられたままの状態で折り戸を半開きにしてランプの交換作業を行うことができる。従って、上記スポットライトにおけるランプ交換作業では、ランプハウスを一旦バトンから取外し、支持アームの角度を変える工程が省け、ランプ交換作業の効率化が図られている。
【０００７】
また、同じくランプの交換作業の効率化を図ることができるスポットライトとして、図９に示されるように、ランプ着脱用開口２０１に設けられた開閉カバー（蓋体）２０２がランプを収納した器具本体２０３の外周面に沿って摺動するように構成されたものが開発されている（例えば、特許文献２参照）。
【０００８】
上記スポットライトでは、開閉カバー２０２が器具本体２０３から離れる方向に開くのではなく、器具本体２０３の外周面に沿って摺動するので、天井裏等の狭い場所におけるランプ交換が容易に行える。
【特許文献１】実開平５−１７８０２号公報
【特許文献２】特開平７−２１１１１９号公報
【発明の開示】
【発明が解決しようとする課題】
【０００９】
ところが、上記特許文献１に記載のスポットライトでは、ランプ着脱用開口の蓋体が略中央で折れる折り戸であるので、ランプ着脱用開口の開口面積が小さく、作業者は、狭いランプ着脱用開口を通してランプを出し入れすることを強いられ、ランプ着脱作業自体は、容易になっているとは言えない。
【００１０】
また、図９に示されたスポットライトでは、ランプ着脱用開口２０１に設けられた開閉カバー２０２が支持アーム２０４の支持軸２０５の周方向（矢印ａ）に沿って摺動自在であるので、器具本体２０３の回転角度によっては開閉カバー２０２の自重が開閉カバー２０２を開放する方向に作用して、開閉カバー２０２が不測に開放してしまい光漏れの原因となる可能性がある。
【００１１】
図９に示されたスポットライトにおいて開閉カバー２０２が不測に開放してしまうという不具合を確実に防ぐためには、開閉カバー２０２に自重による開放を防ぐためのロック装置が余分に必要になる。
【００１２】
そこで、本発明は、スポットライトにおいて、ランプハウスに収納されたランプの着脱作業が容易であり、かつ、ランプハウスの回転角度によってはランプ着脱用開口の蓋体が自重により開放してしまうといった虞のないスポットライトを提供することを目的とする。
【課題を解決するための手段】
【００１３】
上記目的を達成するために、請求項１の発明は、ランプを収納するランプハウスと、前記ランプハウスに開けられたランプ着脱用開口を開閉する蓋体と、前記ランプ着脱用開口を跨いで前記ランプハウスに回転自在に取付けられた略門型の支持アームと、を備えるスポットライトにおいて、前記蓋体は、伸縮又は屈曲自在な柔構造とされ、前記ランプ着脱用開口を開閉するときに該開口縁に臨む蓋体の前端縁部が前記支持アームの回転軸に略平行な方向に移動することを特徴とする。
【発明の効果】
【００１４】
請求項１の発明によれば、ランプ着脱用開口の蓋体が柔構造であり、該蓋体の移動方向の前端縁が支持アームの回転軸に略平行な方向に移動するので、該蓋体が開放されたときのランプ着脱用開口の開口面積が大きく得られてランプの着脱作業が容易であり、ランプハウスの回転角度がどのような角度であっても蓋体が自重により開放してしまう虞がない。
【発明を実施するための最良の形態】
【００１５】
（第１の実施形態）
以下、本発明の第１の実施形態に係るスポットライトについて図１乃至図３（ａ）、図３（ｂ）を参照して説明する。本実施形態のスポットライト１は、図１に示されるように、高輝度のランプ２を収納する略直方体状のランプハウス３と、ランプハウス３の上面３ａに開けられたランプ着脱用開口４を開閉するシャッタ状の蓋体５と、ランプハウス３の側面３ｂに回転自在に取付けられた門型の支持アーム６と、を備える。ランプハウス３の前部には、ランプ２からの光Ｌが出射する光照射口７が開けられており、光照射口７には集光用レンズ（不図示）が設けられている。
【００１６】
門型の支持アーム６の両端部６ａ、６ａは、それぞれランプハウス３に対してシャフト８、９を介して回転自在に連結されており、一方のシャフト９（図３（ａ）、図３（ｂ）参照）に形成されたねじ部をランプハウス３側へ螺入することによって任意の角度に回転された支持アーム６をランプハウス３へ固定することができる。また、門型支持アーム６の水平部６ｂに連結金具１１が固定され、連結金具１１の上端がバトン（不図示）に連結される。
【００１７】
シャッタ状の蓋体５は、図２に示されるように細長い短冊状の部材１２が、互いの側縁部同士で屈曲自在に連結された柔構造とされ、短冊状部材１２の両端部がランプハウス３側に設けられたレールガイド１３に担持されて、レールガイド１３に沿って移動自在に構成されている。レールガイド１３は、ランプハウス３の上面３ａと側面３ｂに亘って延びる略Ｌ字状に形成されている。
【００１８】
シャッタ状蓋体５は、上記のように構成されることによって、ランプ着脱用開口４の全面を閉塞する位置と、ランプ着脱用開口４のほぼ全面を開放する位置との間に亘って移動自在とされる。蓋体５によってランプ着脱用開口４が閉塞された状態が図１の実線、及び図３（ａ）に示され、ランプ着脱用開口４が開放された状態が図１の２点鎖線、及び図３（ｂ）に示される。
【００１９】
本実施形態のスポットライト１は、上記のとおりの構成であるので、作業者は、バトンに吊下げられている状態のスポットライト１に対して、バトンから一旦取外す等の作業を必要とせずに吊下げられたままの状態でランプ２の交換を容易に行うことができる。
【００２０】
具体的には、作業者は、図１に示されるように略水平に吊下げられているスポットライト１に対して脚立、梯子等を利用して接近し、ランプハウス３の支持アーム６に対する回転角度を変えることなく、蓋体５の摘み１３をランプハウス３の上面３ａに沿った方向（図１及び図３（ａ）の矢印Ａ）へ移動し、ランプ着脱用開口４を開放する。そして、作業者は、開放したランプ着脱用開口４を通じて古いランプ２の取出しと新しいランプ２の取付けを行い、ランプの着脱を終えた後、蓋体５の摘み１３を開放時とは反対方向（図１及び図３（ａ）の矢印Ａの反対方向）へ移動してランプ着脱用開口４を閉じる。
【００２１】
ここで、作業者によって開閉操作される蓋体５は、ランプハウス３の上面３ａと側面３ｂに沿って移動するだけであるので、ランプ着脱用開口４の上方を跨ぐ位置にある支持アーム６に干渉されることなく自由に開閉操作され、開放されたランプ着脱用開口４は、ランプハウス３の幅に近い程度に大きく開放されるので、作業者によるランプ２の着脱作業が容易に行える。
【００２２】
また、作業者によって開閉操作される蓋体５のランプ着脱用開口４に臨む前端縁部５ａは、支持アーム６の回転軸Ｘに平行な方向（矢印Ａ）に移動するので、ランプハウス３の回転軸Ｘに対する回転角度がどのような角度であっても（ランプハウス３がどのように傾斜していても）、閉じられた蓋体５が自重によって開放してしまう虞がない。
【００２３】
従って、蓋体５とランプハウス３の間にロック装置（又はストッパ）を設ける必要がなく、作業者が蓋体５を開閉操作するときにそのようなロック装置の解除と施錠を行う必要もない。
【００２４】
（第２の実施形態）
次に、第２の実施形態のスポットライトについて、図４（ａ）、図４（ｂ）及び図５を参照して説明する。第２の実施形態のスポットライト１は、第１の実施形態のスポットライト１に対して蓋体１５の構造のみが異なるので、蓋体１５について説明し、その他の部分については説明を省略する。
【００２５】
第２の実施形態のスポットライト１が備える蓋体１５は、図５に示されるように、短冊状の部材１６が長穴１７と連結ピン１８によって互いに摺動自在に連結された柔構造とされ、各短冊状部材１６の両端部がランプハウス３側に設けられたレール溝１９に担持されて、レール溝１９に沿って移動自在に構成されている。レール溝１９は、各短冊状部材１６に対応してランプハウス３の上面３ａに沿って複数本設けられ、短冊状部材１６の端部から突出された係合ピン１６ａが溝１９内を移動するように構成される。
【００２６】
上記の構成によって、蓋体１５は、ランプ着脱用開口４の全面を閉塞する伸展状態と、ランプ着脱用開口４の全面を開放する縮小状態との間に亘って伸縮自在とされる。蓋体１５によってランプ着脱用開口４が閉塞された状態が図４（ａ）に示され、ランプ着脱用開口４が開放された状態が図４（ｂ）に示される。
【００２７】
本実施形態のスポットライト１の蓋体１５は、上記のとおりの構成であるので、第１の実施形態のスポットライト１と同様に、作業者は、バトンに吊下げられている状態のスポットライト１に対して、バトンから一旦取外す等の作業を必要とせずに吊下げられたままの状態でランプ２の交換を容易に行うことができる。
【００２８】
具体的には、作業者が、蓋体１５の摘みをランプハウス３の上面に沿う方向（図５及び図４（ａ）の矢印Ｂ）に操作してランプ着脱用開口４を開放し、ランプ着脱作業を終えた後、蓋体１５の摘み１３を開放時とは反対方向（図５及び図４（ａ）の矢印Ｂの反対方向）へ移動してランプ着脱用開口４を閉じる。
【００２９】
ここで、作業者によって開閉操作される蓋体１５は、ランプハウス３の上面３ａに沿って伸縮するだけであるので、ランプ着脱用開口４の上方を跨ぐ位置にある支持アーム６に干渉されることなく自由に開閉操作され、開放されたランプ着脱用開口４は、ランプハウス３の幅に近い程度に大きく開放されるので、作業者によるランプ２の着脱作業が容易に行える。
【００３０】
また、作業者によって開閉操作される蓋体１５のランプ着脱用開口４に臨む前端縁部１５ａは、支持アーム６の回転軸Ｘに平行な方向（矢印Ｂ）に移動するので、ランプハウス３の回転軸Ｘに対する回転角度がどのような角度であっても（ランプハウス３がどのように傾斜していても）、閉じられた蓋体１５が自重によって縮小状態（開いた状態）になってしまう虞がない。
【００３１】
（第３の実施形態）
次に、第３の実施形態のスポットライト１について、図６（ａ）、図６（ｂ）及び図７を参照して説明する。第３の実施形態のスポットライト１は、第１の実施形態のスポットライト１に対して蓋体２５の構造のみが異なるので、蓋体２５について説明し、その他の部分については説明を省略する。
【００３２】
第３の実施形態のスポットライト１が備える蓋体２５は、図７に示されるように、短冊状の部材２６が互いの側縁部同士で屈曲自在に連結され、伸展及び折畳み自在な柔構造とされる。短冊状部材２６の両端部がランプハウス３側に設けられたレール溝２９に担持されて、レール溝２９に沿って移動自在、かつ回動自在に構成されている。レール溝２９は、ランプハウス３の上面３ａに沿って１本設けられ、短冊状部材２６の端部から突出された係合ピン２６ａが溝２９内を移動するように構成される。
【００３３】
蓋体２５は、上記のように構成されることによって、ランプ着脱用開口４の全面を閉塞する伸展状態と、ランプ着脱用開口４のほぼ全面を開放する折畳まれた状態との間に亘って変位自在とされる。蓋体２５によってランプ着脱用開口４が閉塞された状態が図６（ａ）に示され、ランプ着脱用開口４が開放された状態が図６（ｂ）に示される。
【００３４】
本実施形態のスポットライト１の蓋体２５は、上記のとおりの構成であるので、第１の実施形態のスポットライト１と同様に、作業者は、バトンに吊下げられている状態のスポットライト１に対して、バトンから一旦取外す等の作業を必要とせずに吊下げられたままの状態でランプ交換を容易に行うことができる。
【００３５】
具体的には、作業者が、蓋体２５の摘み１３をランプハウス３の上面３ａに沿う方向（図７及び図６（ａ）の矢印Ｃ）に操作してランプ着脱用開口４を開放し、ランプ着脱作業を終えた後、蓋体２５の摘み１３を開放時とは反対方向（図７及び図６（ａ）の矢印Ｃの反対方向）へ移動してランプ着脱用開口４を閉じる。
【００３６】
ここで、作業者によって開閉操作される蓋体２５は、短冊状部材２６が折畳まれるときに、短冊状部材２６の幅ｗ方向がランプハウス３の上面３ａに対して垂直な姿勢に変位されるが、短冊状部材２６の幅ｗは充分に小さいので（図６（ｂ）参照）、ランプ着脱用開口４の上方を跨ぐ位置にある支持アーム６に干渉されることなく自由に開閉操作され、開放されたランプ着脱用開口４は、ランプハウス３の幅に近い程度に大きく開放されるので、作業者によるランプ２の着脱作業が容易に行える。
【００３７】
また、作業者によって開閉操作される蓋体２５のランプ着脱用開口４に臨む前端縁部２５ａは、第１及び第２の実施形態と同様に、支持アーム６の回転軸Ｘに平行な方向（矢印Ｃ）に移動するので、ランプハウス３の回転軸Ｘに対する回転角度がどのような角度であっても（ランプハウス３がどのように傾斜しても）、閉じられた蓋体２５が自重によって図６（ｂ）に示される折畳まれた状態に縮小してしまう虞がない。
【００３８】
本発明は、上記実施形態の構成に限られず、種々の変形が可能である。例えば、第１の実施形態の変形例として、シャッタ状の蓋体が左右に一対設けられ、左右の蓋体がランプハウスの中央から左右に開く構造であってもよいし、第２の実施形態の変形例として、蓋体が、鞘部材と該鞘部材内に収納される身部材とから構成され、複数段に伸縮自在な構造であってもよい。
【図面の簡単な説明】
【００３９】
【図１】本発明の第１の実施形態に係るスポットライトの斜視図。
【図２】同スポットライトの蓋体の構造を示す斜視図。
【図３】（ａ）は同スポットライトのランプ着脱用開口が閉塞された状態の正面図、（ｂ）は同スポットライトのランプ着脱用開口が開放された状態の正面図。
【図４】（ａ）は第２の実施形態に係るスポットライトのランプ着脱用開口が閉塞された状態の正面図、（ｂ）は同スポットライトのランプ着脱用開口が開放された状態の正面図。
【図５】同スポットライトの蓋体の構造を示す斜視図。
【図６】（ａ）は第３の実施形態に係るスポットライトのランプ着脱用開口が閉塞された状態の正面図、（ｂ）は同スポットライトのランプ着脱用開口が開放された状態の正面図。
【図７】同スポットライトの蓋体の構造を示す斜視図。
【図８】従来のスポットライトの固定構造物に吊下げられた状態を示す斜視図。
【図９】別の従来のスポットライトを示す側面図。
【符号の説明】
【００４０】
１  スポットライト
２  ランプ
３  ランプハウス
４  ランプ着脱用開口
５、１５、２５  蓋体
５ａ、１５ａ、２５ａ  前端縁部
６  支持アーム
Ａ、Ｂ、Ｃ  移動方向
Ｘ  回転軸
【図１】
2008066072.tif 000003
【図２】
2008066072.tif 000004
【図３】
2008066072.tif 000005
【図４】
2008066072.tif 000006
【図５】
2008066072.tif 000007
【図６】
2008066072.tif 000008
【図７】
2008066072.tif 000009
【図８】
2008066072.tif 000010
【図９】
2008066072.tif 000011